(57)【要約】【課題】従来のワイヤーレスマイクは、スピーチ前は、送信機本体をウエストベルトに装着し、ボイスマイク部を背広の襟にクリップ止めし、そして送信機本体のスイッチＯＮ操作をする等の準備作業を必要とし、更にスピーチ後は、これらの解除作業を伴う煩雑で時間の掛かるものであった。【解決手段】ボイスマイク部と、電源を有しボイスマイク部からの音声信号を任意の周波数で受信機に無線発信する送信機本体とを有するワイヤーレスマイクにおいて、送信機本体を胸ポケットに挿出入自在な所定厚のカードタイプにし、カードタイプ送信機本体の上部に突出させたフレキシブル保持体を介してボイスマイク部３を接続保持し、前記フレキシブル保持体内に、カードタイプ送信機本体の音声信号入力処理部とボイスマイクの音声信号出力部を接続する信号線を配設したことを特徴とするワイヤーレスマイク。【選択図】  図１
2004350064.tif 000002
【特許請求の範囲】
【請求項１】
ボイスマイク部と、ボイスマイク部からの音声信号を任意の周波数で受信機に無線発信する送信機本体とを有するワイヤーレスマイクにおいて、送信機本体を胸ポケットに挿出入自在な所定厚のカードタイプにし、カードタイプ送信機本体の上部に突出させたフレキシブル保持体を介してボイスマイク部３を接続保持し、前記フレキシブル保持体内に、カードタイプ送信機本体の音声信号入力処理部とボイスマイクの音声信号出力部を接続する信号線を配設したことを特徴とするワイヤーレスマイク。
【発明の詳細な説明】
【０００１】
【発明の属する技術分野】
本発明は、ワイヤーレスマイクに関するものである。
【０００２】
【従来の技術】
ワイヤーレスマイクは、遠隔された無線受信機に所定の範囲以内で音声を無線発信して、聴講者への拡声、収録者への伝達等に広く活用されている。
聴講者への拡声用ワイヤーレスマイクの一般的構成は、ボイスマイク部と、充電式電源と、ボイスマイク部からの音声信号を任意の周波数で受信機に無線発信する送信機とからなる。
そして該送信機は、使用する人のウエストベルトにフックを、外れないように掛ける程の大きさで、ボイスマイク部は、背広の襟にクリップ止めし、該送信機の音声信号入力部とボイスマイク音声信号出力部とは、５０ｃｍ程の長いビニール被覆の信号線で接続したものが一般的である。
【０００３】
【発明が解決しようとする課題】
而して、特に上記聴講者への拡声用ワイヤーレスマイクは、これの使用者側に、取り扱い上の煩雑さを伴いしかも時間も掛かりその改善が望まれている。
つまり、スピーチ前は、送信機本体をウエストベルトに装着し、ボイスマイク部を背広の襟にクリップ止めし、そして送信機本体の電源スイッチをＯＮ操作する等の準備作業を必要とし、更にスピーチ後は、これらの解除作業を伴うのである。
【０００４】
例えば、定期的な学術論文発表会等においては、発表論文が多く、従って発表者の持ち時間が短時間に設定されているのが実情である。このため各発表間の引き次を如何にロスの無い短時間にし、実質的発表時間の割合を多くするかが課題であるが、この中で最もネックになっているのが上記準備と解除作業を伴うワイヤーレスマイクの引き次である。
【０００５】
【課題を解決するための手段】
即ち本発明は、前記課題を解決したものであり、その特徴とするところは、ボイスマイク部と、ボイスマイク部からの音声信号を任意の周波数で受信機に無線発信する送信機本体とを有するワイヤーレスマイクにおいて、図１に示す本発明の１実施例の如く、送信機本体を胸ポケットに挿出入自在な所定厚のカードタイプにし、カードタイプ送信機本体１の上部に突出させたフレキシブル保持体２を介してボイスマイク部３を接続保持し、前記フレキシブル保持体２内にカードタイプ送信機本体１の音声信号入力処理部５とボイスマイクの音声信号出力部３ａを接続する信号線６を配設したワイヤーレスマイクにある。
【０００６】
【発明の実施の形態】
本発明のワイヤーレスマイクは、上記構成により、カードタイプ送信機本体１を使用者の胸ポケット１０に挿入するのみでスピーチが開始でき、スピーチ後は、胸ポケット１０から挿出するのみで次の使用者に渡すことを可能にしたのである。
即ち、例えばスピーチ前は、スイッチ７をＯＮにした送信機本体１を使用者の胸ポケット１０に差し込み、この時ボイスマイク部３が使用者の口元近くに位置し又は口元に向くように、予めフレキシブル保持体２の形状を変形セットし、或いは位置変位セットしておけば直ちにスピーチを開始することが出来、更にスピーチ後は、フレキシブル保持体２かボイスマイク部３をつまんで送信機本体１を胸ポケット１０から挿出し、スイッチ７をＯＦＦにするかＯＮのままで次の使用者に渡すことが出来るのである。
【０００７】
本発明において、カードタイプ送信機本体１の上部とボイスマイク部３を接続保持するフレキシブル保持体２は、材料に樹脂、軽量金属、天然・人工ゴム等を単一又は複合して用い、回動、曲り、旋回、昇降、伸縮等の変形・変位が使用者の手により自在にできる構造にし、使用前後、使用中を問わずボイスマイク部３の位置を、何時でも任意に使用者の口元方向又は口元近くに変位調節可能とするものである。
【０００８】
フレキシブル保持体２の変形・変位の自在構造としては、ジャバラ式等の複数の関節接合タイプ、長尺成型した可撓性樹脂内に塑性変形自在金属線を内設した変位自在タイプなどを採用する。
【０００９】
【発明の実施例】
本発明の１実施例を図１と共に紹介する。
図１に示す実施例のワイヤーレスマイクは、例えば縦８０〜１６０ｍｍ、横５０〜８０ｍｍの胸ポケット１００に挿出入自在な、例えば縦６５〜１００ｍｍ、横４５〜７５ｍｍ、厚８〜２０ｍｍのカードタイプ送信機本体１と、ボイスマイク部３と、信号線６内設のフレキシブル保持体２とからなる。
カードタイプ送信機本体１は、スイッチ７を有する充電式電源２０と、音声信号入力処理部５と、音声信号入力処理部５からの出力処理信号を任意の周波数で無線発信アンテナ３０から外部の無線受信機に無線発信する送信機４０とからなる。
ボイスマイク部３は、音声信号出力部３ａからの音声信号を信号線６を介してカードタイプ送信機本体１の音声信号入力処理部５に出力する。
フレキシブル保持体２は、多数個の軽金属製関節体２ａを互いに回動自在に連接してジャバラ式にしたもので、その上端をボイスマイク部３の下部に、下端をカードタイプ送信機本体１の上端に、各々接続固定してある。
これによりフレキシブル保持体２は、手により自在に曲げ変形させるのみで、先端のボイスマイク部３の向きや高さ位置等の変更調整を、実施することができる。
スイッチ７は、充電式電源２０から、音声信号入力処理部５と、送信機４０への給電をＯＮ、ＯＦＦする。
【００１０】
【発明の効果】
以上の説明で明らかなように、本発明のワイヤーレスマイクは、前記構成により、カードタイプ送信機本体を使用者の胸ポケットにポンと挿入するのみでスピーチが開始でき、スピーチ後は、胸ポケットから挿出するのみで次の使用者に渡すことを可能にしたのである。
これにより、例えば、定期的な学術論文発表会等においては、発表論文が多く、従って発表者の持ち時間が短時間に設定されていても、各発表間におけるワイヤーレスマイクの引き次を略瞬時に可能ならしめ、実質的発表時間をより多くすることを実現させたのである。
【図面の簡単な説明】
【図１】本発明の１実施例を示す説明図である。
【符号の説明】
１：カードタイプ送信機本体
２：フレキシブル保持体
２ａ：軽金属製関節体
３：ボイスマイク部
３ａ：音声信号出力部
５：音声信号入力処理部
６：信号線
７：スイッチ
２０：充電式電源
３０：無線発信アンテナ
４０：送信機
１００：胸ポケット
【図１】
2004350064.tif 000003